(57)【要約】【課題】突入電流による過電流誤検知を低減することができる突入電流制御システムを提供する。【解決手段】電源投入により発生する突入電流が流れる複数の端末装置３と、複数の端末装置を監視する監視装置４とから構成される突入電流制御システム１であって、監視装置は突入電流の投入指示をそれぞれの端末装置へ送信し、端末装置は投入指示に基づいて突入電流の投入のタイミングを計るタイマ回路２１ｃを起動させ、所定のタイミングで突入電流の投入を行う。【選択図】図５
2019122048.tif 000002
【特許請求の範囲】
【請求項１】
電源投入により発生する突入電流が流れる複数の端末装置と、前記複数の端末装置を監視する監視装置とから構成される突入電流制御システムであって、
前記監視装置は、前記突入電流の投入指示をそれぞれの端末装置へ送信し、
前記端末装置は、前記投入指示に基づいて前記突入電流の投入のタイミングを計るタイマ回路を起動させ、所定のタイミングで前記突入電流の投入を行う
ことを特徴とする突入電流制御システム。
【請求項２】
前記端末装置は、起動した前記タイマ回路がタイムアウトした際に前記突入電流の投入を行う
ことを特徴とする請求項１に記載の突入電流制御システム。
【請求項３】
前記端末装置は、前記突入電流の投入を行った後、前記突入電流を投入した旨の応答を前記監視装置へ送信する
ことを特徴とする請求項１又は２に記載の突入電流制御システム。
【請求項４】
前記監視装置は、グループ分けされた前記複数の端末のグループごとに前記投入指示を行い、グループのすべての前記端末装置から前記応答を受信後に、又は所定時間の経過後に他のグループの前記端末装置へ前記投入指示を送信する
ことを特徴とする請求項３に記載の突入電流制御システム。
【請求項５】
前記監視装置は、グループのすべての前記端末装置から前記応答を受信せず、前記所定時間が経過した場合、前記応答を受信しなかった前記端末装置からの前記応答がなかった旨の画面を表示する
ことを特徴とする請求項４に記載の突入電流制御システム。
【請求項６】
電源投入により発生する突入電流が流れる端末装置であって、
前記突入電流を受ける受電部と、
前記突入電流の投入指示を監視装置から受信し、前記投入指示に基づいて前記突入電流の投入のタイミングを計測する計測部と、
計測結果に応じて主電源回路に前記突入電流の投入を行う電流投入部とを、
備えることを特徴とする端末装置。
【請求項７】
電源投入により発生する突入電流が流れる複数の端末装置と、前記複数の端末装置を監視する監視装置とから構成される突入電流制御システムにおける突入電流制御方法であって、
前記監視装置が前記突入電流の投入指示をそれぞれの端末装置へ送信するステップと、
前記端末装置が前記投入指示に基づいて前記突入電流の投入のタイミングを計るタイマ回路を起動させ、所定のタイミングで前記突入電流の投入を行うステップとを、
有することを特徴とする突入電流制御方法。
【発明の詳細な説明】
【技術分野】
【０００１】
本発明は、端末装置への電源供給により突入電流が発生する突入電流制御システムに関する。
【背景技術】
【０００２】
従来、複数の端末装置から構成される電力供給システム、例えば公営競技の投票券を発売及び払戻しするトータリゼータ端末装置（下記の特許文献１を参照）を複数有する電力供給システムでは、端末装置のブレーカは通電（オン）状態で、投票所のブレーカを操作するか、建屋全体の大元のブレーカを操作する。このような操作により、端末装置への電力供給（給電）を行っている。このような電力供給システムにおいて一斉にそれぞれの端末装置へ給電すると突入電流が発生する（特許文献１を参照）。
【先行技術文献】
【特許文献】
【０００３】
【特許文献１】特開２００２−２１５８３３号公報
【発明の概要】
【発明が解決しようとする課題】
【０００４】
一斉に端末装置へ給電すると個々の突入電流は規定値内で問題ないが、同時に各端末装置の突入電流が発生するため、システムの大元の過電流検知回路の誤動作を引き起こすという問題がある。また、ブレーカを入切（オンオフ）することでブレーカが故障しやすくなり、修理費用が増加するという問題もある。
【０００５】
本発明は、上記課題に鑑み、突入電流による過電流誤検知を低減することができる突入電流制御システムを提供することを目的とする。
【課題を解決するための手段】
【０００６】
上記目的を達成するために、本発明は、電源投入により発生する突入電流が流れる複数の端末装置と、前記複数の端末装置を監視する監視装置とから構成される突入電流制御システムであって、前記監視装置が前記突入電流の投入指示をそれぞれの端末装置へ送信し、前記端末装置が前記投入指示に基づいて前記突入電流の投入のタイミングを計るタイマ回路を起動させ、所定のタイミングで前記突入電流の投入を行うことを特徴とする。
【０００７】
また、本発明の突入電流制御システムにおいて、前記端末装置が、起動した前記タイマ回路がタイムアウトした際に前記突入電流の投入を行うことは、好ましい態様である。
【０００８】
また、本発明の突入電流制御システムにおいて、前記端末装置が、前記突入電流の投入を行った後、前記突入電流を投入した旨の応答を前記監視装置へ送信することは、好ましい態様である。
【０００９】
また、本発明の突入電流制御システムにおいて、前記監視装置が、グループ分けされた前記複数の端末のグループごとに前記投入指示を行い、グループのすべての前記端末装置から前記応答を受信後に、又は所定時間の経過後に他のグループの前記端末装置へ前記投入指示を送信することは、好ましい態様である。
【００１０】
また、本発明の突入電流制御システムにおいて、前記監視装置が、グループのすべての前記端末装置から前記応答を受信せず、前記所定時間が経過した場合、前記応答を受信しなかった前記端末装置からの前記応答がなかった旨の画面を表示することは、好ましい態様である。
【００１１】
また、本発明は、電源投入により発生する突入電流が流れる端末装置であって、前記突入電流を受ける受電部と、前記突入電流の投入指示を監視装置から受信し、前記投入指示に基づいて前記突入電流の投入のタイミングを計測する計測部と、計測結果に応じて主電源回路に前記突入電流の投入を行う電流投入部とを、備えることを特徴とする。
【００１２】
また、本発明は、電源投入により発生する突入電流が流れる複数の端末装置と、前記複数の端末装置を監視する監視装置とから構成される突入電流制御システムにおける突入電流制御方法であって、前記監視装置が前記突入電流の投入指示をそれぞれの端末装置へ送信するステップと、前記端末装置が前記投入指示に基づいて前記突入電流の投入のタイミングを計るタイマ回路を起動させ、所定のタイミングで前記突入電流の投入を行うステップとを、有することを特徴とする。
【発明の効果】
【００１３】
本発明によれば、突入電流による過電流誤検知を低減することができる。
【図面の簡単な説明】
【００１４】
【図１】実施形態における突入電流制御システムの一例を示す図である。
【図２】実施形態における端末装置のハードウェア構成の一例を示す図である。
【図３】実施形態における端末装置の機能構成の一例を示す図である。
【図４】実施形態における監視装置のハードウェア構成の一例を示す図である。
【図５】実施形態における突入電流制御システムの突入電流制御のシーケンスの一例を示すシーケンスチャートである。
【図６】実施形態における監視装置のエラー表示画面の一例を示す図である。
【図７】実施形態における端末装置の突入電流制御処理フローの一例を示すフローチャートである。
【図８】実施形態における監視装置の突入電流制御処理フローの一例を示すフローチャートである。
【発明を実施するための形態】
【００１５】
以下、実施形態について図面を参照して説明する。図１は実施形態における突入電流制御システムの一例を示す図である。図１に示すように、突入電流制御システム１は、ブレーカ２（２ａ、２ｂ、２ｃ、２ｄ、２ｅ、２ｆ）と、端末装置（以下、端末という）３（３ａ、３ｂ、３ｃ、３ｄ）と、監視装置４とを含む。突入電流制御システム１は、一斉に端末３へ給電された場合、突入電流による過電流誤検知の低減やブレーカ２の入切（オンオフ）による故障頻度の低減のため、ＡＣ（Alternating Current：交流）供給時の突入電流のタイミングが重ならないように制御している。制御の詳細については後述する。
【００１６】
突入電流制御システム１は、様々な用途に用いることができ、例えば公営競技（競馬、競輪、競艇、オートレースなど）の投票券を発売、払い戻しするトータリゼータシステムや、宝くじなどのくじ券を発売、払い戻しするシステムなどで用いることが可能である。なお、突入電流制御システム１は上記システムに限定されるものではなく、また突入電流制御システム１の構成はこれに限定されるものではなく、他の構成を含むものであってもよい。以下で各構成について説明する。
【００１７】
ブレーカ２は端末３への電力を供給するために操作されるものであり、例えば図１に示すように階層的に構成されている。すなわち、突入電流制御システム１の大元にあるブレーカ２ａの下位にはブレーカ２ｂ、２ｃ、２ｄが接続されており、ブレーカ２ｂの下位にはブレーカ２ｅ、２ｆが接続されている。よって、ブレーカ２ａやブレーカ２ｂが電力供給できるオン状態（通電状態）になっていても、ブレーカ２ｅ、２ｆがオン状態になっていなければ電力供給がされないため端末３は起動しない。
【００１８】
なお、ブレーカ２ｂの下位のブレーカ２ｅやブレーカ２ｆを含むネットワーク構成５ｂは、ブレーカ２ｃ、２ｄの下位のブレーカ２を含むネットワーク構成５ｃ、５ｄと同様であり、これらのネットワーク構成は例えば所定のエリアごとに配置されるものである。例えば、トータリゼータシステムの場合には投票券を発売、払い戻しする複数の投票所（投票所端末）を複数のグループに分け、グループ分けされた１つのグループが１つのネットワークを構成する。以下ではブレーカ２ｂの下位のブレーカ２（２ｅ、２ｆ）を含むネットワーク構成５ｂを例にとって説明する。
【００１９】
ブレーカ２ｅ、２ｆにはそれぞれ複数の端末３（３ａから３ｄ）が接続されており、例えば突入電流制御システム１が起動される（ブレーカ２ａ及び２ｂがオン状態となる）と、ブレーカ２ｅは配下にある端末３（３ａ、３ｂなど）に電力を供給する。これにより端末３には突入電流が流れる。
【００２０】
なお、少なくとも下位のネットワーク構成５ｂに含まれるブレーカ２ｅ、２ｆを常にオン状態としておいてもよい。これにより、下位側のブレーカ２（例えば、数十台のブレーカ）のオンオフの切り替えをする手間が省けるとともに、切り替え操作による故障を低減させることが可能となる。
【００２１】
端末３はブレーカ２の配下に接続され、ブレーカ２からの電力供給によって起動するものであって、例えばブレーカ２ｅやブレーカ２ｆの配下にそれぞれ５０台前後が接続される。なお、１つのブレーカ２の配下には複数の端末３が接続されているが、端末３ごとに個別に制御したいなど運用に応じて１つのブレーカ２の配下に１つの端末３が接続されるような構成であってもよい。
【００２２】
端末３は、後述するように主電源回路２０とは別に突入電流のタイミングが重ならないようにする突入電流遅延回路２１を有する。詳細については後述する。
【００２３】
監視装置４は、端末３を監視するものであり、具体的に突入電流が重ならないように端末３（又は後述するように複数の端末３によって構成されるグループごと）に対して突入電流の投入指示を行う。投入指示後、監視装置４は端末３の主電源回路２０にＡＣを投入した旨の応答を端末３（又は後述するようにグループ内のすべての端末３）から受信した場合、他の端末３（又は後述するように他のグループ）へ突入電流の投入指示を行う。
【００２４】
なお、監視装置４は、所定時間（タイマ）が経過した場合には端末３からの応答を受信しなくても他の端末３（又は後述するように他のグループ）へ突入電流の投入指示を行ってもよい。
【００２５】
すなわち、監視装置４は、グループ分けされた複数の端末３のグループごとに投入指示を行い、グループのすべての端末３から応答を受信後、又は所定時間の経過後に他のグループの端末３へ投入指示を送信する。
【００２６】
また、監視装置４は、所定時間が経過しても端末３からの応答を受信しない場合には応答がなかった旨の画面を表示する。すなわち、監視装置４は、グループのすべての端末から応答を受信せず、所定時間が経過した場合、応答を受信しなかった端末からの応答がなかった旨の画面を表示する。応答がなかった旨の表示画面例については後述する。
【００２７】
この例では、監視装置４はネットワーク構成５ｂにおいて１つのみであるが複数あってもよい。その場合にはそれぞれの監視装置４があらかじめグループ分けされた端末３のグループを監視することになる。また、ネットワーク構成ごとに監視装置４を設けるのではなく、突入電流制御システム１の全体で１つの監視装置４を設けるようにしてもよい。すなわち、１台の監視装置４で突入電流制御システム１のすべての端末３を監視するようにしてもよい。
【００２８】
次に、実施形態における端末３のハードウェア構成の一例について図２を用いて説明する。図２に示すように、端末３は端末３の電源装置において主電源回路２０と突入電流遅延回路２１を有している。なお、端末３にはこれらの回路以外に端末３を制御する制御回路なども含まれるが、ここでは説明を省略する。
【００２９】
主電源回路２０は、突入防止回路２０ａ、整流回路２０ｂ、ＤＣ／ＤＣ回路２０ｃを含む。主電源回路２０は従来の端末３の電源装置においても搭載されている一般的な回路である。
【００３０】
突入防止回路２０ａは電圧の立ち上がりを緩やかにしてゆっくりと電流を流すものであり、すなわち抵抗である。整流回路２０ｂは電流を一定方向にだけ流す（整流）素子であって、ＡＣ（交流）をＤＣ（Direct Current：直流）に変換するものである。ＤＣ／ＤＣ回路２０ｃは回路内の必要な電圧を生成するものである。
【００３１】
突入電流遅延回路２１は、突入防止回路２１ａ、整流回路２１ｂ、タイマ回路２１ｃ、ＳＷ（Switch：スイッチ）２１ｄを含む。突入防止回路２１ａ及び整流回路２１ｂは上述した突入防止回路２０ａ及び整流回路２０ｂとそれぞれ機能は同じであるため説明を省略する。
【００３２】
タイマ回路２１ｃは監視装置４からの突入電流の投入指示に基づいて突入電流の投入のタイミングを計るために設定されたタイマを起動し、タイムアウトした場合、主電源回路２０に突入電流を投入するためＳＷ２１ｄをオンにする。すなわち、端末３は起動したタイマ回路２１ｃがタイムアウトした際に突入電流の投入を行う。
【００３３】
また、タイマ回路２１ｃは、ＳＷ２１ｄがオン状態にされ、突入電流が主電源回路２０に投入された後、突入電流が主電源回路２０に投入された旨の応答を監視装置４へ送信する。すなわち、端末３は、突入電流の投入を行った後、突入電流を投入した旨の応答を監視装置４へ送信する。
【００３４】
ＳＷ２１ｄは主電源回路２０へ突入電流を流すためのスイッチであり、突入電流が流れる前の初期状態ではオフ状態となっており、タイマ回路２１ｃの指示によってオン状態になって突入電流を主電源回路２０へ流す。すなわち、突入電流を受電した際にはＳＷ２１ｄへは突入電流は流れず、突入防止回路２１ａへ流れる。
【００３５】
次に、実施形態における端末３の機能構成の一例について図３を用いて説明する。図３に示すように、端末３は、受電部３０、計測部３１、電流投入部３２を含む。なお。端末３の構成はこれに限定されるものではなく、他の構成を含むものであってもよい。
【００３６】
受電部３０は、ブレーカ２側からの突入電流を受けるものであって、上記突入防止回路２１ａ及び整流回路２１ｂに相当する。
【００３７】
計測部３１は、突入電流の投入指示を監視装置４から受信し、監視装置４からの投入指示に基づいて突入電流の投入のタイミングを計測するものであり、上記タイマ回路２１ｃに相当する。
【００３８】
電流投入部３２は、計測部３１による計測結果、すなわちタイムアウトに応じて主電源回路２０に突入電流の投入を行うものであり、上記ＳＷ２１ｄに相当する。
【００３９】
次に、実施形態における監視装置４のハードウェア構成の一例について図４を用いて説明する。図４に示すように、監視装置４は、ＣＰＵ４０、メモリ４１、キーボード４２、モニタ４３、Ｉ／Ｆ４４、突入電流遅延制御Ｉ／Ｆ４５、バス４６を含む。
【００４０】
ＣＰＵ４０は、バス４６を介して、メモリ４１などに格納される監視装置４の各種処理を行うためのプログラム（例えば、監視プログラムなど）を読み込み、読み込んだプログラムにしたがって各種処理を行う。
【００４１】
メモリ４１には、監視装置４の各種処理を行うためのアプリケーションプログラムや、監視装置４の処理に必要なデータなどが格納される。
【００４２】
キーボード４２は、情報を入力するものであり、例えば後述する端末３への投入指示を送信した後からカウントダウンするタイマなどを設定するためのものである。
【００４３】
モニタ４３は、情報を表示するものであって、例えば後述する端末３からの応答を受信しなかった場合のエラー表示などを行う。
【００４４】
Ｉ／Ｆ４４は、外部（端末３）とネットワーク４７を介してデータ（投入指示や応答など）の送受信を行うものである。
【００４５】
突入電流遅延制御Ｉ／Ｆ４５は、端末３への突入電流の投入指示を送信し、その後に応答を受信した場合には他の端末３（又は他の端末３を含むグループ）へ投入指示を送信するものである。
【００４６】
バス４６は、各装置間の制御信号、データ信号などの授受を媒介する経路である。
次に、実施形態における突入電流制御システム１の突入電流制御のシーケンスについて図５を用いて説明する。
【００４７】
図５に示すように、端末３では端末３にＡＣが供給される（Ｓ５０１）と、突入電流遅延回路２１で受電される（Ｓ５０２）。一方、監視装置４は監視装置４自身を起動させる（Ｓ５０３）と、突入電流の投入指示をあるグループの端末３へ送信する（Ｓ５０４）。このとき、監視装置４は投入指示を送信すると同時にあらかじめ設定されたタイマを起動し、タイマ計測（時間のカウント）を開始する。
【００４８】
端末３は、投入指示を監視装置４から受信するとあらかじめ設定されたタイマを起動し、タイマ計測を開始する（Ｓ５０５）。端末３は設定されたタイマがタイムアウトすると主電源回路２０へ突入電流を投入するために突入電流遅延回路２１のＳＷ２１ｄをオンにする（Ｓ５０６）とともに、主電源回路２０に突入電流を投入した旨、すなわちＳＷ２１ｄをオンにした旨の応答を監視装置４へ送信する（Ｓ５０７）。
【００４９】
監視装置４は、あるグループのすべての端末３から応答を受信すると、他のグループの端末３へ突入電流の投入指示を送信する（Ｓ５０８）。なお、監視装置４は、タイマ計測を開始してから設定されたタイマがタイムアウトした段階で、あるグループのすべての端末３から応答を受信しなかった場合、投入指示に対する端末３からの応答がなかった旨の表示（エラー表示）を行う。エラー表示の一例を図６に示す。
【００５０】
図６に示すように、画面６０にはグループごとに応答状態が表示されている。この例ではグループ１及びグループ２が示されており、それぞれのグループに属する端末３の数は１０台である。画面６０の表示構成の一例として、グループ名欄６１、端末番号及び応答状態欄６２、エラー有無欄６３、コメント欄６４を含む。
【００５１】
グループ名欄６１は、グループ分けされた端末３が属するグループ名（例えば、グループ１、グループ２など）が示される。また、端末番号及び応答状態欄６２では、各端末に割り振られた端末番号（識別番号）と投入指示に対する応答の判定が示される。例えば、グループ１の端末番号３００００１の端末３は投入指示に対する応答があったため、応答状態がＯＫとなっている。一方、グループ２の端末番号３０００１４の端末３は投入指示に対する応答がなかったため、応答状態がＮＧとなっている。これにより、グループ２の端末番号３０００１４の端末３が応答していないことを把握することができる。
【００５２】
また、エラー有無欄６３ではエラーの有無が示され、エラーがなければエラーがない旨の表示（例えば、横線）がされ、エラーがあればエラーコードの表示がされる。例えば、上述したグループ２の端末番号３０００１４の端末３は投入指示に対する応答がなかったため、応答がない旨のエラーコード（例えば、Ｅ１２３４）が表示される。エラーコードはエラーの内容によって異なる。
【００５３】
また、コメント欄６４ではエラー内容の詳細などが示され、例えば上述したグループ２の端末番号３０００１４の端末３の場合、投入指示に対する応答がありませんでしたなどの表示がされる。
【００５４】
なお、画面６０内に収まらないグループの情報については、例えば画面６０に表示された前頁ボタン６５や次頁ボタン６６をタッチするなどして閲覧することが可能である。
【００５５】
図６に示すようなエラー表示により、応答をしない端末３を把握できるだけでなく、進捗状況を把握することも可能となる。
【００５６】
次に、実施形態における端末３の突入電流制御処理の一例について図７を用いて説明する。
【００５７】
突入電流制御システム１の大元にあるブレーカ２ａやその下位にあるブレーカ２ｂが操作されて電流が流れるオン状態にされると、端末３にはＡＣが供給され（ステップＳ７０１）、突入電流遅延回路２１で突入電流を受電する（ステップＳ７０２）。このとき、突入電流遅延回路２１は小規模の回路のため、流れる突入電流は小さい。
【００５８】
端末３は突入電流の投入指示を監視装置４から受信したか否かを判断する（ステップＳ７０３）。投入指示を受信した場合（ステップＳ７０３でＹｅｓ）、端末３はあらかじめ設定されたタイマを起動する（ステップＳ７０４）。一方、投入指示を受信していない場合（ステップＳ７０３でＮｏ）、端末３は投入指示を待つ。
【００５９】
端末３はタイマがタイムアウトしたか否かを判断し（ステップＳ７０５）、タイムアウトした場合（ステップＳ７０５でＹｅｓ）、端末３は主電源回路２０へ突入電流を投入するために突入電流遅延回路２１のＳＷ２１ｄをオンにし（ステップＳ７０６）、主電源回路２０へ突入電流を投入する。その後、端末３はＳＷ２１ｄをオンにした旨（正常に突入電流を主電源回路２０に投入することができた旨）の応答を監視装置４へ送信する（ステップＳ７０７）。
【００６０】
次に、実施形態における監視装置４の突入電流制御処理の一例について図８を用いて説明する。
【００６１】
監視装置４は監視装置４自身を起動させ（ステップＳ８０１）、あるグループ（例えば、グループ１）の端末３に突入電流の投入指示を送信する（ステップＳ８０２）。ここではグループごとに端末３に投入指示を送信しているが、グループごとではなく端末３ごとに送信するようにしてもよい。
【００６２】
監視装置４は、投入指示の送信後、あらかじめ設定されたタイマを起動し、タイマ計測を開始する（ステップＳ８０３）。監視装置４は、投入指示を送信したグループのすべての端末３から応答を受信せずに起動したタイマがタイムアウトしたか否かを判断する（ステップＳ８０４）。
【００６３】
タイムアウトした場合（ステップＳ８０４でＹｅｓ）、監視装置４は上述したエラー表示を行う（ステップＳ８０５）。これにより、どの端末３が応答しないかが把握でき、端末３の不具合などを早期に検出することができる。
【００６４】
一方、タイムアウトしない場合（ステップＳ８０４でＮｏ）、監視装置４はグループのすべての端末３からの応答を受信したか否かを判断し（ステップＳ８０６）、すべての端末３から応答を受信した場合（ステップＳ８０６でＹｅｓ）、監視装置４は他のグループの端末３へ突入電流の投入指示を送信する（ステップＳ８０７）。一方、応答を受信しない場合（ステップＳ８０６でＮｏ）、ステップＳ８０４へ戻る。
【００６５】
なお、監視装置４はグループのすべての端末３からの応答を受信した後に他のグループの端末３へ突入電流の投入指示を送信するのではなく、グループ内の所定の数の端末３からの応答を受信した場合に投入指示を送信するようにしてもよい。これにより、迅速に突入電流制御システム１の起動を行うことができる。
【００６６】
また、監視装置４は、タイムアウトした場合（ステップＳ８０４でＹｅｓ）には上述したエラー表示をするとともに、他のグループの端末３へ突入電流の投入指示を送信するようにしてもよい。
【００６７】
上述したような突入電流制御システム１によれば、タイマ回路により突入電流の投入のタイミングを変えられ、突入電流が分散されるため、突入電流による過電流誤検知を低減することができる。また、所定のエリアごとのブレーカの入切（オンオフ）を省略することができ、ブレーカの故障頻度を低減させることができる。
【００６８】
また、上述した実施の形態は、上述したものに限定されるものではなく、実施の形態の要旨を逸脱しない範囲において種々の変更を加えることができる。
【符号の説明】
【００６９】
１  突入電流制御システム
２  ブレーカ
３  端末
４  監視装置
５ｂ、５ｃ、５ｄ  ネットワーク構成
２０  主電源回路
２０ａ  突入防止回路
２０ｂ  整流回路
２０ｃ  ＤＣ／ＤＣ回路
２１  突入電流遅延回路
２１ａ  突入防止回路
２１ｂ  整流回路
２１ｃ  タイマ回路
２１ｄ  ＳＷ
３０  受電部
３１  計測部
３２  電流投入部
４０  ＣＰＵ
４１  メモリ
４２  キーボード
４３  モニタ
４４  Ｉ／Ｆ
４５  突入電流遅延制御Ｉ／Ｆ
４６  バス
４７  ネットワーク
６０  画面
６１  グループ名欄
６２  端末番号及び応答状態欄
６３  エラー有無欄
６４  コメント欄
６５  前頁ボタン
６６  次頁ボタン
【図１】
2019122048.tif 000003
【図２】
2019122048.tif 000004
【図３】
2019122048.tif 000005
【図４】
2019122048.tif 000006
【図５】
2019122048.tif 000007
【図６】
2019122048.tif 000008
【図７】
2019122048.tif 000009
【図８】
2019122048.tif 000010